(57)【要約】【課題】自動販売機本体への冷却機器の組付作業を容易に行うことができ、しかも製造コストの低減を図ることのできる自動販売機を提供する。【解決手段】商品収納庫３０内に配置される一部の冷却機器と、機械室１１内に配置される他の冷却機器と、これらの冷却機器の間に商品収納庫３０の底面部の一部をなすように配置される断熱性の仕切部材３４とを一体に有する冷却ユニット４０を備え、冷却ユニット４０を自動販売機本体１０に着脱自在に設けたので、商品収納庫３０側の冷却機器及び機械室１１側の冷却機器を自動販売機本体１０の外部で冷却ユニット４０に組付けることができる。更に、仕切部材３４を商品収納庫３０の底面部の一部をなすように冷却ユニット４０に一体に設けたので、他の仕様の冷却機器に変更したい場合でも、冷却ユニット４０以外の部分（自動販売機本体１０の筐体等）に共通の部品を用いることができる。【選択図】図５
2007004437.tif 000002
【特許請求の範囲】
【請求項１】
前面を開口した自動販売機本体と、自動販売機本体の前面を開閉する外扉と、自動販売機本体内に設けられた断熱性の商品収納庫と、商品収納庫の下方に設けられた機械室と、商品収納庫内を冷却する冷却機器とを備え、一部の冷却機器を商品収納庫内の底面に配置し、他の冷却機器を機械室内に配置した自動販売機において、
前記商品収納庫内に配置される一部の冷却機器と、機械室内に配置される他の冷却機器と、これらの冷却機器の間に商品収納庫の底面部の少なくとも一部をなすように配置される断熱性の仕切部材とを一体に有する冷却ユニットを備え、冷却ユニットを自動販売機本体に着脱自在に設けた
ことを特徴とする自動販売機。
【請求項２】
前記冷却ユニットを自動販売機本体の前後方向に移動可能に設けた
ことを特徴とする請求項１記載の自動販売機。
【請求項３】
前記冷却ユニットに、機械室側の冷却機器の下方に配置される底板と、仕切部材を底板上の冷却機器の上方に支持する支持部材とを設けた
ことを特徴とする請求項１または２記載の自動販売機。
【請求項４】
前記仕切部材を商品収納庫の他の底面部と分離可能に形成した
ことを特徴とする請求項１、２または３記載の自動販売機。
【請求項５】
前記仕切部材と他の底面部との間にパッキンを設けた
ことを特徴とする請求項４記載の自動販売機。
【請求項６】
前記仕切部材を、商品収納庫側に配置される上面板と、機械室側に配置される下面板と、上面板と下面板との間に配置される断熱材とから形成した
ことを特徴とする請求項１、２、３、４または５記載の自動販売機。
【発明の詳細な説明】
【技術分野】
【０００１】
本発明は、例えば缶、ビンまたはペットボトル入り飲料等の商品を販売する自動販売機に関するものである。
【背景技術】
【０００２】
従来、この種の自動販売機としては、前面を開口した自動販売機本体と、自動販売機本体の前面を開閉する外扉と、自動販売機本体内に設けられた断熱性の商品収納庫と、商品収納庫の下方に設けられた機械室と、商品収納庫内を冷却する冷却機器とを備え、一部の冷却機器としての蒸発器及び蒸発器用ファンを商品収納庫内の底面に配置し、他の冷却機器としての圧縮機、凝縮器、凝縮器用ファン及びその他の機器を機械室内に配置したものが知られている（例えば、特許文献１参照。）。
【特許文献１】特開２００４−２７２５８７号公報
【発明の開示】
【発明が解決しようとする課題】
【０００３】
しかしながら、従来の自動販売機では、冷却機器を商品収納庫内の底面及び機械室内の底面に多数のネジを用いて固定するとともに、ネジの締結作業を自動販売機本体内の狭い場所で行わなければならないため、冷却機器の組付作業を容易に行うことができず、生産効率を低下させるという問題点があった。また、自動販売機本体は、商品収納庫を一体に有する筐体によって形成されており、冷却機器のネジ止め用の孔や配管挿通用の切り欠き等が予め設けられているが、例えば冷却機器を新規に開発した場合など、ネジ止め位置や配管挿通位置の異なる他の仕様の冷却機器に変更したい場合には、これに対応する新たな筐体を開発しなければならず、製造コストが高くつくという問題点があった。
【０００４】
本発明は前記問題点に鑑みてなされたものであり、その目的とするところは、自動販売機本体への冷却機器の組付作業を容易に行うことができ、しかも製造コストの低減を図ることのできる自動販売機を提供することにある。
【課題を解決するための手段】
【０００５】
本発明は前記目的を達成するために、前面を開口した自動販売機本体と、自動販売機本体の前面を開閉する外扉と、自動販売機本体内に設けられた断熱性の商品収納庫と、商品収納庫の下方に設けられた機械室と、商品収納庫内を冷却する冷却機器とを備え、一部の冷却機器を商品収納庫内の底面に配置し、他の冷却機器を機械室内に配置した自動販売機において、前記商品収納庫内に配置される一部の冷却機器と、機械室内に配置される他の冷却機器と、これらの冷却機器の間に商品収納庫の底面部の少なくとも一部をなすように配置される断熱性の仕切部材とを一体に有する冷却ユニットを備え、冷却ユニットを自動販売機本体に着脱自在に設けている。
【０００６】
これにより、商品収納庫側の冷却機器及び機械室側の冷却機器を自動販売機本体の外部で冷却ユニットに組付けた後、冷却ユニットを自動販売機本体に組付けることが可能となる。また、メンテナンスの際には、冷却ユニットを自動販売機本体から取外すことにより、冷却機器の点検や修理を自動販売機本体の外部で行うことが可能となる。更に、仕切部材が商品収納庫の底面部の一部をなすように冷却ユニットに一体に設けられていることから、例えば冷却機器を新規に開発した場合など、他の仕様の冷却機器に変更したい場合でも、冷却ユニット以外の部分に共通の部品を用いることが可能となる。
【発明の効果】
【０００７】
本発明の自動販売機によれば、商品収納庫側の冷却機器及び機械室側の冷却機器を自動販売機本体の外部で冷却ユニットに組付けることができるので、冷却機器の組付作業を容易に行うことができ、生産効率の向上を図ることができる。また、メンテナンスの際には、冷却ユニットを自動販売機本体から取外すことにより、冷却機器の点検や修理を自動販売機本体の外部で行うことができるので、メンテナンス作業を容易に行うことができる。更に、冷却機器を新規に開発した場合など、他の仕様の冷却機器に変更したい場合でも、冷却ユニット以外の部分に共通の部品を用いることができ、製造コストの低減を図ることができる。
【発明を実施するための最良の形態】
【０００８】
図１乃至図６は本発明の一実施形態を示すもので、図１は自動販売機の全体斜視図、図２は自動販売機の側面断面図、図３は冷却ユニットの斜視図、図４はその分解斜視図、図５は自動販売機本体及び冷却ユニットの分離状態を示す斜視図、図６はその組付状態を示す斜視図である。
【０００９】
この自動販売機は、前面を開口した自動販売機本体１０と、自動販売機本体１０の前面を開閉する外扉２０と、自動販売機本体１０内に設けられた断熱性の商品収納庫３０と、商品収納庫３０を冷却する冷却ユニット４０とを備えている。
【００１０】
自動販売機本体１０は前面を開口した断熱箱１１を有し、断熱箱１１内には商品収納庫３０が形成されている。自動販売機本体１０の下部には機械室１１が設けられ、機械室１１は商品収納庫３０の下方に配置されている。
【００１１】
外扉２０は幅方向一端側を自動販売機本体１０に回動自在に支持され、その前面には商品サンプル２１、商品選択スイッチ２２、硬貨投入口２３、紙幣投入口２４、硬貨返却口２５及び商品取出口２６が設けられている。
【００１２】
商品収納庫３０は前面を開閉する断熱性の内扉３１を有し、その内部には商品収納コラム３２が収容されている。商品収納コラム３２は、例えばサーペンタイン式コラム、コンベア式コラム、スパイラル式コラム等、各種のコラムが用いられる。また、商品収納庫３０の底面部３３は、その幅方向一部（略中央部分）が他の部分と分離可能な仕切部材３４によって形成され、仕切部材３４は冷却ユニット４０と一体に設けられている。
【００１３】
仕切部材３４は、商品収納庫３０側に配置される上面板３５と、機械室１１側に配置される下面板３６と、上面板３５と下面板３６との間に配置される断熱材３７と、仕切部材３４の前端に配置される前端側パッキン３８と、仕切部材３４の前端を除く周縁に配置される周縁側パッキン３９とからなり、上面板３５、断熱材３７及び下面板３６を互いに上下方向に重ね合わせることにより板状に形成される。上面板３５は後述する蒸発器４３の下面に対応する部分にドレン受け３５ａを有し、ドレン受け３５ａの略中央には排水孔３５ｂが設けられている。下面板３６は周縁部が上方に折り曲げられた箱状に形成され、その前面上端には前方に延びるフランジ３６ａが設けられている。また、フランジ３６ａの左右方向一端側には配管挿通用の切り欠き３６ｂが設けられている。断熱材３７は周知の断熱材料からなり、下面板３６の内形に対応する板状に形成されている。前端側パッキン３８は下面板３６の前面に沿って幅方向に延びる横長の部材からなり、フランジ３６ａの下面側に位置するように取付けられている。また、前端側パッキン３８は配管挿通用の切り欠き３８ａを有し、切り欠き３８ａはフランジ３６ａの切り欠き３６ｂとの対応位置に設けられている。周縁側パッキン３９は下面板３６の背面及び左右両側面に沿って延びる帯状の部材からなり、下面板３６の背面及び左右両側面を覆うように取付けられている。
【００１４】
冷却ユニット４０は、商品収納庫３０内に配置される一部の冷却機器と、機械室１１内に配置される他の冷却機器と、これらの冷却機器の間に配置される前記仕切部材３４と、機械室１１側の冷却機器の下方に配置される底板４１と、仕切部材３４を底板４１上の冷却機器の上方に支持する支持部材としての複数の支柱４２とを有し、自動販売機本体１０に着脱自在に設けられている。商品収納庫３０側に配置される冷却機器は蒸発器４３及び一対の蒸発器用ファン４４からなり、各蒸発器用ファン４４はファンダクト４４ａの一端側に取付けられている。蒸発器４３は仕切部材３４のドレン受け３５ａの上方に固定され、その上面はファンダクト４４ａの他端側によって覆われている。機械室１１側に配置される冷却機器は、圧縮機４５、凝縮器４６、凝縮器用ファンユニット４７及びその他の機器（アキュムレータ等）からなり、これらの冷却機器は基板４８に載置されている。また、冷却機器を載置した基板４８は底板４１に固定される。圧縮機４５及び凝縮器４６は各切り欠き３６ｂ，３８ａを挿通する冷媒配管４９を介して商品収納庫３０側の蒸発器４３に接続され、圧縮機４５によって蒸発器４３及び凝縮器４６に冷媒を循環するようになっている。底板４１は基板４８よりも幅方向に大きく形成され、機械室１１の底面に設けたレール４１ａに前後方向に移動自在に係合するようになっている。各支柱４２は互いに底板４１の幅方向両側に前後方向に間隔をおいて配置され、その上端には仕切部材３４の下面板３６が固定されている。
【００１５】
以上のように構成された自動販売機において、冷却ユニット４０を自動販売機本体１０に組付ける場合は、冷却ユニット４０を機械室１１のレール４１ａに係合して自動販売機本体１０内の後方に移動し、機械室１１にネジ止めによって固定することにより、冷却ユニット４０が組付けられる。その際、冷却ユニット４０の仕切部材３４が商品収納庫３０の幅方向一端側の底面部３３と他端側の底面部３３との間に挿入され、仕切部材３４と底面部３３によって商品収納庫３０の底面部全体が形成される。また、仕切部材３４と底面部３３との間は周縁側パッキン３９によって密閉される。
【００１６】
このように、本実施形態の自動販売機によれば、商品収納庫３０内に配置される一部の冷却機器と、機械室１１内に配置される他の冷却機器と、これらの冷却機器の間に商品収納庫３０の底面部の一部をなすように配置される断熱性の仕切部材３４とを一体に有する冷却ユニット４０を備え、冷却ユニット４０を自動販売機本体１０に着脱自在に設けたので、商品収納庫３０側の冷却機器及び機械室１１側の冷却機器を自動販売機本体１０の外部で冷却ユニット４０に組付けることができ、冷却機器の組付作業を極めて容易に行うことができる。この場合、冷却ユニット４０には冷却機器が一体に組付けられているので、冷却ユニット４０を他の製造ラインや工場で製造した場合でも、冷却ユニット４０の運搬や保管を容易に行うことができ、生産管理上極めて有利である。また、メンテナンスの際には、冷却ユニット４０を自動販売機本体１０から取外すことにより、冷却機器の点検や修理を自動販売機本体１０の外部で行うことができ、メンテナンス作業を極めて容易に行うことができる。この場合、商品収納庫３０側の蒸発器４３と機械室１１側の圧縮機４５及び凝縮器４６とを冷媒配管４９で接続したまま冷却ユニット４０を自動販売機本体１０から取外すことができるので、冷媒配管４９を外さずにメンテナンス作業を行うことができる。更に、仕切部材３４を商品収納庫３０の底面部の一部をなすように冷却ユニット４０に一体に設けたので、例えば冷却機器を新規に開発した場合など、他の仕様の冷却機器に変更したい場合でも、冷却ユニット４０以外の部分（自動販売機本体１０の筐体等）に共通の部品を用いることができ、製造コストの低減を図ることができる。
【００１７】
また、冷却ユニット４０を機械室１１のレール４１ａに係合することにより、冷却ユニット４０を自動販売機本体１０に対して前後方向に移動可能に設けたので、冷却ユニット４０の組付け及び取外しを冷却ユニット４０の前後方向への移動によって容易に行うことができ、作業性の向上を図ることができる。
【００１８】
更に、冷却ユニット４０に、機械室１１側の冷却機器の下方に配置される底板４１と、仕切部材３４を底板４１上の冷却機器の上方に支持する複数の支柱４２を設けたので、仕切部材３４と底板４１の間に機械室１１側の冷却機器を効率よく収納することができ、冷却ユニット４０の小型化を図ることができる。
【００１９】
また、仕切部材３４を商品収納庫３０の底面部の一部をなすように他の底面部３３と分離可能に形成したので、仕切部材３４を必要最小限の大きさに形成することができ、冷却ユニット４０の小型化を図ることができる。
【００２０】
この場合、仕切部材３４には他の底面部３３との間に介在する周縁側パッキン３９を設けたので、仕切部材３４と他の底面部３３との間を周縁側パッキン３９によって密閉することができ、商品収納庫３０の気密性を確実に保つことができる。
【００２１】
また、仕切部材３４を、商品収納庫３０側に配置される上面板３５と、機械室側１１に配置される下面板３６と、上面板３５と下面板３６との間に配置される断熱材３７とから形成したので、断熱材３７によって仕切部材３４の断熱性を得ることができるとともに、上面板３５に冷却機器の締結が可能となり、仕切部材３４を商品収納庫３０の底面部としての機能を損なうことなく形成することができる。
【００２２】
尚、前記実施形態では、仕切部材３４が商品収納庫３０の底面部の一部をなすようにしたものを示したが、底面部全体をなすように形成してもよい。また、前記実施形態では、冷却ユニット４０をレール４１ａに係合して自動販売機本体１０の前後方向に移動可能に設けたものを示したが、レールを設けずに冷却ユニット４０を直接機械室１１の底面に移動可能に載置するようにしてもよい。
【図面の簡単な説明】
【００２３】
【図１】本発明の一実施形態を示す自動販売機の全体斜視図
【図２】自動販売機の側面断面図
【図３】冷却ユニットの斜視図
【図４】冷却ユニットの分解斜視図
【図５】自動販売機本体及び冷却ユニットの分離状態を示す斜視図
【図６】自動販売機本体及び冷却ユニットの組付状態を示す斜視図
【符号の説明】
【００２４】
１０…自動販売機本体、１１…機械室、２０…外扉、３０…商品収納庫、３４…仕切部材、３５…上面板、３６…下面板、３７…断熱材、４０…冷却ユニット、４１…底板、４２…支柱、４３…蒸発器、４４…蒸発器用ファン、４５…圧縮機、４６…凝縮器、４７…凝縮器用ファンユニット。
【図１】
2007004437.tif 000003
【図２】
2007004437.tif 000004
【図３】
2007004437.tif 000005
【図４】
2007004437.tif 000006
【図５】
2007004437.tif 000007
【図６】
2007004437.tif 000008